(57)【特許請求の範囲】
【請求項１】
マクロセル内に多数のスモールセルが位置する無線環境で上記マクロセルに接続された端末の数を確認する確認部；及び、
上記端末の数が閾値未満であることが確認された場合、上記多数のスモールセルのそれぞれからシステム情報ブロックが伝送されることを制限して上記マクロセルを通してのみシステム情報ブロックがブロードキャスティング方式で伝送されるようにし、上記端末の数が閾値以上である場合には、上記多数のスモールセルそれぞれと上記マクロセルの両方からシステム情報ブロックがブロードキャスティング方式で伝送されることができるようにする制御部；を含むことを特徴とするセル制御装置。
【請求項２】
上記制御部は、
上記マクロセルに接続された端末と関連して、上記多数のスモールセルのうちの特定スモールセルへの移動接続が必要であると判断される場合、上記特定スモールセルと係わるシステム情報ブロックが上記マクロセルを通してユニキャスト方式で伝送されるようにして、上記特定スモールセルと係わるシステム情報ブロックを受信した端末が上記特定スモールセルへと移動接続されるようにすることを特徴とする請求項１に記載のセル制御装置。
【請求項３】
上記制御部は、
上記マクロセルのダウンリンク負荷及びアップリンク負荷のうちの少なくとも一つが閾値を超過し、上記端末から報告される上記特定スモールセルの基準信号受信電力が閾値を超過する場合、上記特定スモールセルへの移動接続が必要であると判断することを特徴とする請求項２に記載のセル制御装置。
【請求項４】
上記ユニキャスト方式で伝送されるシステム情報ブロックは、
上記特定スモールセルへの接続のための制御情報を含むことを特徴とする請求項２に記載のセル制御装置。
【請求項５】
上記ユニキャスト方式で伝送されるシステム情報ブロックは、
ＲＲＣ接続再設定（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージを含むＲＲＣメッセージを通して伝送されることを特徴とする請求項２に記載のセル制御装置。
【請求項６】
基地局装置が、マクロセル内に多数のスモールセルが位置する無線環境で上記マクロセルに接続された端末の数を確認する確認段階；及び、
上記基地局装置が、上記端末の数が閾値未満であることが確認された場合には、上記多数のスモールセルのそれぞれからシステム情報ブロックが伝送されることを制限して、上記マクロセルを通してのみシステム情報ブロックがブロードキャスティング方式で伝送されるようにし、上記端末の数が閾値以上である場合には、上記多数のスモールセルそれぞれと上記マクロセルの両方からシステム情報ブロックがブロードキャスティング方式で伝送されることができるようにする制御段階；を含むことを特徴とするセル制御方法。
【請求項７】
上記制御段階は、
上記マクロセルに接続された端末と関連して、上記多数のスモールセルのうちの特定スモールセルへの移動接続が必要であると判断される場合、上記特定スモールセルと係わるシステム情報ブロックが上記マクロセルを通してユニキャスト方式で伝送されるようにして、上記特定スモールセルと係わるシステム情報ブロックを受信した端末が上記特定スモールセルへと移動接続されるようにすることを特徴とする請求項６に記載のセル制御方法。
【請求項８】
上記制御段階は、
上記マクロセルのダウンリンク負荷及びアップリンク負荷のうちの少なくとも一つが閾値を超過し、上記端末から報告される上記特定スモールセルの基準信号受信電力が閾値を超過する場合、上記特定スモールセルへの移動接続が必要であると判断することを特徴とする請求項７に記載のセル制御方法。
【請求項９】
上記ユニキャスト方式で伝送されるシステム情報ブロックは、
上記特定スモールセルへの接続のための制御情報を含むことを特徴とする請求項７に記載のセル制御方法。
【請求項１０】
上記ユニキャスト方式で伝送されるシステム情報ブロックは、
ＲＲＣ接続再設定（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージを含むＲＲＣメッセージを通して伝送されることを特徴とする請求項７に記載のセル制御方法。
【発明の詳細な説明】
【技術分野】
【０００１】
本発明は、マクロセル内に多数のスモールセルが構築された無線環境において、各セルからブロードキャスティング（Ｂｒｏａｄｃａｓｔｉｎｇ）方式で伝送されるシステム情報ブロック（ＳＩＢ、Ｓｙｓｔｅｍ  Ｉｎｆｏｒｍａｔｉｏｎ  Ｂｌｏｃｋ）の伝送頻度を減らす又は無くす方式を通してシステム情報ブロックの伝送に因って発生するセル間干渉を取り除いて、スモールセルのデータ伝送効率を向上するための方案に関する。
【背景技術】
【０００２】
ＬＴＥ通信システムにおいて、通信サービスの種類及び伝送要求速度などが多様化するにつれて、ＬＴＥ周波数の増設及び５Ｇ通信システムへの進化が盛んに進行されている。
【０００３】
これと関連して、５Ｇ通信システムでは、データトラフィックの急増を解決するための方案として、例えば、ヘテロジニアスネットワーク（ＨｅｔＮｅｔ）技術が提案されている。
【０００４】
このようなＨｅｔＮｅｔ技術は、一つのマクロセル（Ｍａｃｒｏ  Ｃｅｌｌ）内に多数のスモールセルを構築する方式を通してデータ処理容量と速度を向上する技術のことである。
【０００５】
ここで、マクロセル及びスモールセルのそれぞれでは、移動通信サービスの利用と関連して端末で必要な動作のために、例えば、システム情報ブロック（ＳＩＢ、Ｓｙｓｔｅｍ  Ｉｎｆｏｒｍａｔｉｏｎ  Ｂｌｏｃｋ）、及びセル特定参照信号（ＣＲＳ、Ｃｅｌｌ−ｓｐｅｃｉｆｉｃ  Ｒｅｆｅｒｅｎｃｅ  Ｓｉｇｎａｌ）などの制御信号を伝送する。
【０００６】
しかし、マクロセル及びスモールセルのそれぞれから伝送される上記制御信号は、セル負荷とは関係なく常に伝送されなければならない。
【０００７】
特に、システム情報ブロックの場合、ブロードキャスティング方式で伝送が行われることによって、セル間干渉（Ｉｎｔｅｒ  Ｃｅｌｌ  Ｉｎｔｅｒｆｅｒｅｎｃｅ）を引き起こすことになり、各セルでのデータ処理容量及び速度が低下する問題が発生する可能性がある。
【０００８】
結局、ＨｅｔＮｅｔ技術を適用した無線環境でのデータ処理容量と速度の向上を期待するためには、ブロードキャスティング方式で伝送されるシステム情報ブロックによって発生し得るセル間干渉を最小化することができる方案の模索が必要であると言える。
【発明の概要】
【発明が解決しようとする課題】
【０００９】
本発明は、上述した事情に鑑みて創出されたものであり、本発明が到達しようとする目的は、マクロセル内に多数のスモールセルが構築された無線環境において、各セルからブロードキャスティング（Ｂｒｏａｄｃａｓｔｉｎｇ）方式で伝送されるシステム情報ブロック（ＳＩＢ、Ｓｙｓｔｅｍ  Ｉｎｆｏｒｍａｔｉｏｎ  Ｂｌｏｃｋ）などのようなセルカバレッジ内の端末の有／無、端末の数に関係なく周期的に放送される制御信号の伝送頻度を減らす又は無くす方式を通してシステム情報ブロックの伝送に因って発生するセル間干渉を取り除いて、スモールセルのデータ伝送効率を高めることにある。
【課題を解決するための手段】
【００１０】
上記の目的を達成するための本発明の一実施例によるセル制御装置は、マクロセル内に多数のスモールセルが位置する無線環境で上記マクロセルに接続された端末の数を確認する確認部；及び、上記端末の数が閾値未満であることが確認された場合、上記多数のスモールセルのそれぞれからシステム情報ブロックが伝送されることを制限して上記マクロセルを通してのみシステム情報ブロックがブロードキャスティング方式で伝送されるようにし、上記端末の数が閾値以上である場合には、上記多数のスモールセルそれぞれと上記マクロセルの両方からシステム情報ブロックがブロードキャスティング方式で伝送されることができるようにする制御部；を含むことを特徴とする。
【００１１】
より詳しくは、上記制御部は、上記マクロセルに接続された端末と関連して、マクロセルの無線環境又はトラフィック負荷に因ってスモールセルへの移動接続が必要であると判断される場合、スモールセルの無線環境を測定した後、特定スモールセルと係わるシステム情報ブロックを上記マクロセルを通してユニキャスト方式で伝送して、上記スモールセルと係わるシステム情報ブロックを受信した端末が該スモールセルへと移動接続されるようにすることを特徴とする。
【００１２】
より詳しくは、上記制御部は、上記マクロセルのダウンリンク負荷及びアップリンク負荷のうちの少なくとも一つが閾値を超過し、上記端末から報告される上記特定スモールセルの基準信号受信電力が閾値を超過する場合、上記特定スモールセルへの移動接続が必要であると判断することを特徴とする。
【００１３】
より詳しくは、上記ユニキャスト方式で伝送されるシステム情報ブロックは、上記特定スモールセルへの接続のための制御情報を含むことを特徴とする。
【００１４】
より詳しくは、上記ユニキャスト方式で伝送されるシステム情報ブロックは、ＲＲＣ接続再設定（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージを含むＲＲＣメッセージを通して伝送されることを特徴とする。
【００１５】
上記の目的を達成するための本発明の一実施例によるセル制御方法は、基地局装置が、マクロセル内に多数のスモールセルが位置する無線環境で上記マクロセルに接続された端末の数を確認する確認段階；及び、上記基地局装置が、上記端末の数が閾値未満であることが確認された場合には、上記多数のスモールセルのそれぞれからシステム情報ブロックが伝送されることを制限して、上記マクロセルを通してのみシステム情報ブロックがブロードキャスティング方式で伝送されるようにし、上記端末の数が閾値以上である場合には、上記多数のスモールセルそれぞれと上記マクロセルの両方からシステム情報ブロックがブロードキャスティング方式で伝送されることができるようにする制御段階；を含むことを特徴とする。
【００１６】
より詳しくは、上記制御段階は、上記マクロセルに接続された端末と関連して、上記多数のスモールセルのうちの特定スモールセルへの移動接続が必要であると判断される場合、上記特定スモールセルと係わるシステム情報ブロックが上記マクロセルを通してユニキャスト方式で伝送されるようにして、上記特定スモールセルと係わるシステム情報ブロックを受信した端末が上記特定スモールセルへと移動接続されるようにすることを特徴とする。
【００１７】
より詳しくは、上記制御段階は、上記マクロセルのダウンリンク負荷及びアップリンク負荷のうちの少なくとも一つが閾値を超過し、上記端末から報告される上記特定スモールセルの基準信号受信電力が閾値を超過する場合、上記特定スモールセルへの移動接続が必要であると判断することを特徴とする。
【００１８】
より詳しくは、上記ユニキャスト方式で伝送されるシステム情報ブロックは、上記特定スモールセルへの接続のための制御情報を含むことを特徴とする。
【００１９】
より詳しくは、上記ユニキャスト方式で伝送されるシステム情報ブロックは、ＲＲＣ接続再設定（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージを含むＲＲＣメッセージを通して伝送されることを特徴とする。
【発明の効果】
【００２０】
よって、本発明のセル制御装置及びセル制御方法によれば、マクロセル内に多数のスモールセルが構築された無線環境において、各セルからブロードキャスティング（Ｂｒｏａｄｃａｓｔｉｎｇ）方式で伝送されるシステム情報ブロック（ＳＩＢ、Ｓｙｓｔｅｍ  Ｉｎｆｏｒｍａｔｉｏｎ  Ｂｌｏｃｋ）の伝送頻度を減らす又は無くす方式を通してシステム情報ブロックの伝送に因って発生するセル間干渉を取り除くことで、各セルでのデータ処理容量及び速度を向上させる効果が達成できる。
【図面の簡単な説明】
【００２１】
【図１】本発明の一実施例による無線環境を示す例示図である。
【図２】本発明の一実施例によるマスター情報ブロックが伝送されるＰＢＣＨ、及びシステム情報ブロックが伝送されるＰＤＳＣＨと係わるラジオフレーム構造を示す図である。
【図３】本発明の一実施例によるセル制御装置の構成を説明するための図である。
【図４】本発明の一実施例による次世代（５Ｇ）通信システムで要求される通信性能を示す図である。
【図５】本発明の一実施例によるセル制御装置での動作の流れを説明するための図である。
【発明を実施するための形態】
【００２２】
以下、添付図面を参照して本発明の一実施例について説明する。
【００２３】
図１は、本発明の一実施例による無線環境を示している。
【００２４】
図１に示されているように、本発明の一実施例による無線環境は、マクロセルＭＣ内に多数のスモールセルＳＣ１、ＳＣ２、ＳＣ３、ＳＣ４、ＳＣ５、ＳＣ６、及びＳＣ７が構築され、例えば、５Ｇ通信システムにおける核心技術であるＨｅｔＮｅｔ技術が適用される。
ここで、セル制御装置１０は、通常、数ｋｍ前後の半径を領域とするマクロセルＭＣを形成し、マクロセルＭＣに位置する端末を対象にして移動通信サービスを提供する基地局装置のことである。
【００２５】
かかるセル制御装置１０は、例えば、ＮｏｄｅＢ、ｅＮｏｄｅＢであり得る。
【００２６】
また、端末ＵＥ＃０の場合、例えば、ＵＥ（Ｕｓｅｒ  Ｅｑｕｉｐｍｅｎｔ）、ＭＳ（Ｍｏｂｉｌｅ  Ｓｔａｔｉｏｎ）などのような移動又は固定型の使用者ノードであり得る。
【００２７】
それぞれのスモールセルＳＣ１、ＳＣ２、ＳＣ３、ＳＣ４、ＳＣ５、ＳＣ６、及びＳＣ７は、マクロセルＭＣ領域と重畳するそれぞれの領域に通常数十ｍ前後の半径を領域として構築されることができる。
【００２８】
このようなスモールセルには、例えば、フェムトセル、ピコセル、ホームノードＢ、及びホームＥｎＢなどが該当されることができる。
【００２９】
背景技術の欄で言及したように、以上の無線環境に位置する各セルでは、端末が移動通信サービスを利用する際に必要な制御信号である、例えばシステム情報ブロック（ＳＩＢ、Ｓｙｓｔｅｍ  Ｉｎｆｏｒｍａｔｉｏｎ  Ｂｌｏｃｋ）、及びセル特定参照信号（ＣＲＳ、Ｃｅｌｌ−ｓｐｅｃｉｆｉｃ  Ｒｅｆｅｒｅｎｃｅ  Ｓｉｇｎａｌ）などをセル負荷とは関係なく伝送することになる。
【００３０】
特に、システム情報ブロックの場合、各セルからブロードキャスティング（Ｂｒｏａｄｃａｓｔｉｎｇ）方式を通して伝送が行われるようになるが、このようなシステム情報ブロックはセル間干渉（Ｉｎｔｅｒ  Ｃｅｌｌ  Ｉｎｔｅｒｆｅｒｅｎｃｅ）を引き起こす大きな要因として作用し得る。
【００３１】
これと関連して、各セルに位置した端末は、例えば、電源オン（Ｏｎ）による端末の初期化（Ｉｎｉｔｉａｔｉｏｎ）や、呼（Ｃａｌｌ）接続などの動作に必要な多様なパラメータを各セルから受信されるシステム情報（Ｓｙｓｔｅｍ  Ｉｎｆｏｒｍａｔｉｏｎ）から獲得することができる。
【００３２】
上記のシステム情報は、大きく言えば、マスター情報ブロック（ＭＩＢ、Ｍａｓｔｅｒ  Ｉｎｆｏｒｍａｔｉｏｎ  Ｂｌｏｃｋ）と、先に言及した多数のシステム情報ブロック（ＳＩＢ、Ｓｙｓｔｅｍ  Ｉｎｆｏｒｍａｔｉｏｎ  Ｂｌｏｃｋ）とで構成されることができる。
【００３３】
ここで、マスター情報ブロックには、例えば、各システム情報ブロックと係わるスケジューリング情報が含まれることができる。
【００３４】
多数のシステム情報ブロックの場合、‘ＳｙｓｔｅｍＩｎｆｏｒｍａｔｉｏｎＢｌｏｃｋＴｙｐｅ  １（ＳＩＢ    ＃１）’メッセージを通して伝送されるＳＩＢ１と、‘ＳｙｓｔｅｍＩｎｆｏｒｍａｔｉｏｎ（ＳＩ）’メッセージを通して伝送されるＳＩＢ２乃至ＳＩＢ１１とに区分されることができる。
【００３５】
参照として、下の［表１］には、システム情報を構成しているマスター情報ブロックと多数のシステム情報ブロックそれぞれに対する定義を示している。
【表１】
0006574308.tif 000002
【００３６】
このようなシステム情報を伝送するための伝送チャネルの場合、ＢＣＨ（Ｂｒｏａｄｃａｓｔ  ＣＨａｎｎｅｌ）が使用され、物理チャネルとしてはＰＢＣＨ（Ｐｈｙｓｉｃａｌ  Ｂｒｏａｄｃａｓｔｉｎｇ  ＣＨａｎｎｅｌ）と、ＰＤＳＣＨ（Ｐｈｙｓｉｃａｌ  Ｄｏｗｎｌｉｎｋ  Ｓｈａｒｅｄ  ＣＨａｎｎｅｌ）とに分離して使用されることができる。
【００３７】
これと関連して、ＰＢＣＨを通してはマスター情報ブロックがブロードキャストされ、ＰＤＳＣＨを利用したＲＲＣ（Ｒａｄｉｏ  Ｒｅｓｏｕｒｃｅ  Ｃｏｎｔｒｏｌ）メッセージを通してはシステム情報ブロックがブロードキャストされる。
【００３８】
参照として、図２には、マスター情報ブロックが伝送されるＰＢＣＨ、及びシステム情報ブロックが伝送されるＰＤＳＣＨと係わるラジオフレーム構造を示している。
【００３９】
これと関連して、各セルに位置した端末は、ＰＢＣＨを通してマスター情報ブロックを受信し、マスター情報ブロックに含まれた情報を用いてＰＢＳＣＨを通してシステム情報ブロックを受信することができる。
【００４０】
ところが、システム情報ブロックが伝送されるＰＤＳＣＨの場合、例えば、ＰＣＨ（Ｐｈｙｓｉｃａｌ  ＣＨａｎｎｅｌ）や、ＤＬＳＣＨ（Ｄｏｗｎｌｉｎｋ  Ｓｈａｒｅｄ  ＣＨａｎｎｅｌ）を通して伝送される他の信号及びデータが一緒に伝送される共有チャネルであることから、多様なチャネルのデータがシステム情報ブロックとともに伝送されるようになる。
【００４１】
これに因り、ＰＤＳＣＨを通して伝送されるシステム情報ブロックは、ＰＤＳＣＨを通して伝送される他のトラフィックに影響を与える可能性があることを予想可能である。
【００４２】
さらに、システム情報ブロックを伝送するための伝送方式の場合、先に言及したように、セル負荷と無関係な周期的なブロードキャスティング方式が採択されることによってセル間干渉（Ｉｎｔｅｒ  Ｃｅｌｌ  Ｉｎｔｅｒｆｅｒｅｎｃｅ）が深化する可能性がある。
【００４３】
よって、本発明の一実施例では、各セルからブロードキャスティング方式で伝送されるシステム情報ブロックの伝送頻度を減らす又は無くす方式を通してセル間干渉を取り除くことができる新しい方案を提案しようとしており、以下では、これを具現するためのセル制御装置１０の構成について具体的に説明することにする。
【００４４】
図３は、本発明の一実施例によるセル制御装置１０の概略的な構成を示す図である。
【００４５】
図３に示されているように、本発明の一実施例によるセル制御装置１０は、端末の数を確認する確認部１１、システム情報ブロックの伝送を制御する制御部１２、及びシステム情報ブロックを伝送する伝送部１３を含む構成を有することができる。
【００４６】
上記の確認部１１、制御部１２及び伝送部１３を含むセル制御装置１０の全体構成あるいは少なくとも一部は、ソフトウェアモジュール又はハードウェアモジュールの形で具現されるか、ソフトウェアモジュールとハードウェアモジュールとが組み合わされた形で具現されることができる。
【００４７】
結局、本発明の一実施例によるセル制御装置１０は、上記の構成を通して、各セルからブロードキャスティング方式で伝送されるシステム情報ブロックの伝送頻度を減らす又は無くすことによってセル間干渉を取り除くことができるが、以下には、このためのセル制御装置１０の各構成について具体的に説明する。
【００４８】
一方、セル制御装置１０内の各構成に対する具体的な説明に先立って、各スモールセルＳＣ１、ＳＣ２、ＳＣ３、ＳＣ４、ＳＣ５、ＳＣ６、及びＳＣ７からは、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）を伝送し、これを受信した端末が同期を得られるようにすることを前提とする。
【００４９】
ここで、ＰＳＳは、例えばこれを受信した端末がシンボル同期又はスロット同期を得るために使用され、ＳＳＳは、フレーム同期を得るために使用されることができる。
【００５０】
参照として、端末は、初期セル接続過程で、ＰＳＳ／ＳＳＳを通してセルＩＤを抽出することができる。
【００５１】
また、端末は、抽出されたセルＩＤを利用してＰＢＣＨ復調のための基準信号（例：ＣＲＳ）を受信し、ＰＢＣＨを通してマスター情報ブロックを受信することができ、ひいては、マスター情報ブロック内の情報を利用してＰＤＳＣＨを通してシステム情報ブロックを受信することができるようになる。
【００５２】
また、セル制御装置１０は、下に記載される各構成の動作とは無関係にマクロセルＭＣ内にシステム情報ブロックを持続的にブロードキャストしていることが前提とされる。
【００５３】
確認部１１は、端末の数を確認する機能を行う。
【００５４】
より詳しくは、確認部１１は、マクロセルＭＣに接続された端末の数を確認する。
【００５５】
マクロセルＭＣでは、現在連結されている無線ベアラ数を基盤にして、接続された端末の数を確認することができる。
【００５６】
ここで、マクロセルＭＣに接続されたことと確認される端末の数は、各スモールセルＳＣ１、ＳＣ２、ＳＣ３、ＳＣ４、ＳＣ５、ＳＣ６、及びＳＣ７のそれぞれからシステム情報ブロックを伝送するか否かを選択制御するのに利用されることができる。
【００５７】
このとき、確認部１１は、マクロセルＭＣに接続された端末の数が、例えば、閾値（例：４０）を超過するか否かを確認する。
【００５８】
ここで、閾値（例：４０）は、システム情報ブロックの伝送周期と関連したものであり、例えば、ＳＩＢ＃１メッセージの伝送周期（例：４０ｍｓ）と関連されることができ、これに制限されるものではなく、システム情報ブロックと係わる他のパラメータを基盤にして多様な値として定義されることができるのは勿論である。
【００５９】
制御部１２は、マクロセル及び各スモールセルからのシステム情報ブロックの伝送を制御する機能を行う。
【００６０】
より詳しくは、制御部１２は、マクロセルＭＣに接続された端末の数が確認されれば、確認された端末の数に基づいてマクロセルＭＣ及び各スモールセルＳＣ１、ＳＣ２、ＳＣ３、ＳＣ４、ＳＣ５、ＳＣ６、及びＳＣ７からブロードキャスティング方式でシステム情報ブロックを伝送することを制御する。
【００６１】
これと関連して、制御部１２は、マクロセルＭＣに接続された端末の数が閾値（例：４０）未満であることが確認された場合には、伝送部１３がブロードキャスティング方式でマクロセルＭＣにシステム情報ブロックを伝送するように制御する。
【００６２】
このとき、制御部１２は、多数のスモールセルＳＣ１、ＳＣ２、ＳＣ３、ＳＣ４、ＳＣ５、ＳＣ６、及びＳＣ７のそれぞれに対しては、システム情報ブロックを伝送しないように制御することで、システム情報ブロックの伝送に因って発生し得るセル間干渉及び電力消耗を最小化する。
【００６３】
反面、制御部１２は、マクロセルＭＣに接続された端末の数が閾値（例：４０）以上であると確認された場合には、伝送部１３がブロードキャスティング方式でマクロセルＭＣにシステム情報ブロックを伝送するように制御するとともに、多数のスモールセルＳＣ１、ＳＣ２、ＳＣ３、ＳＣ４、ＳＣ５、ＳＣ６、及びＳＣ７のそれぞれに対してもブロードキャスティング方式でシステム情報ブロックを伝送するように制御する。
【００６４】
ここで、マクロセルＭＣに接続された端末の数が閾値（例：４０）未満であるというのは、マクロセルＭＣに接続された端末の数が少ないことを意味する。
【００６５】
この場合、マクロセルＭＣと各スモールセルＳＣ１、ＳＣ２、ＳＣ３、ＳＣ４、ＳＣ５、ＳＣ６、及びＳＣ７の全てがシステム情報をブロードキャスティング方式で伝送するようになれば、周波数の効率性が大きく低下するようになり、ひいては、セル間干渉及び各スモールセルＳＣ１、ＳＣ２、ＳＣ３、ＳＣ４、ＳＣ５、ＳＣ６、及びＳＣ７での電力消耗も深化し得ることが予想できる。
【００６６】
よって、決定部１２は、マクロセルＭＣに接続された端末の数が十分な場合に限って、マクロセルＭＣと各スモールセルＳＣ１、ＳＣ２、ＳＣ３、ＳＣ４、ＳＣ５、ＳＣ６、及びＳＣ７の全てがシステム情報をブロードキャスティング方式で伝送するように制御することで、周波数の効率性を維持することができる。
【００６７】
また、制御部１２は、マクロセルＭＣに接続された端末に対する移動接続を制御する機能を行う。
【００６８】
より詳しくは、制御部１２は、無線環境が劣化するか、トラフィック負荷が閾値以上となってマクロセルＭＣに接続された端末が特定スモールセルへ移動接続する必要がある場合、伝送部１３がユニキャスト方式で上記特定スモールセルと係わるシステム情報ブロックをマクロセルＭＣを通して伝送するように制御することで、該システム情報ブロックを受信した端末が上記特定スモールセルへ移動接続できるようにする。
【００６９】
このとき、制御部１２は、例えばマクロセルＭＣのダウンリンク負荷及びアップリンク負荷のうちの少なくとも一つが閾値を超過し、マクロセルＭＣに接続された端末から報告される上記特定スモールセルの基準信号受信電力（例：ＲＳＲＰ／ＲＳＲＱ）が閾値を超過する場合、上記特定スモールセルへの移動接続が必要であると判断することができる。
【００７０】
例えば、制御部１２は、マクロセルＭＣのダウンリンク負荷及びアップリンク負荷のうちの少なくとも一つが閾値を超過する場合、マクロセルＭＣの負荷分散を目的として、マクロセルＭＣに接続された端末を特定スモールセルへと移動接続するように誘導することができる。
【００７１】
即ち、マクロセルＭＣに接続された端末から報告される各スモールセルＳＣ１、ＳＣ２、ＳＣ３、ＳＣ４、ＳＣ５、ＳＣ６、及びＳＣ７での基準信号受信電力（ＲＳＲＰ、Ｒｅｆｅｒｅｎｃｅ  Ｓｉｇｎａｌ  Ｒｅｃｅｉｖｅｄ  Ｐｏｗｅｒ）を確認して、基準信号受信電力の大きさが閾値を超過する特定スモールセルが存在する場合、良好な無線環境を端末に提供するためにマクロセルＭＣに接続された端末に上記特定スモールセルと係わるシステム情報ブロックをユニキャスト方式で伝送することで、マクロセルＭＣに接続された端末が上記特定スモールセルへと移動接続するように誘導することができる。
【００７２】
このように、ユニキャスト方式で伝送されるシステム情報ブロックは、ＲＲＣ接続再設定（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージを通して伝送され、かかるシステム情報ブロックには、特定スモールセルの接続と係わる制御情報（接続情報）が含まれることができるのは勿論である。
【００７３】
該情報は、周波数間ハンドオーバ時のマクロセルから端末に伝送されるハンドオーバリクエスト（Ｈａｎｄｏｖｅｒ  Ｒｅｑｕｅｓｔ）メッセージであり得る。
【００７４】
これと同時に、端末数が閾値以上の場合、初期接続時にスモールセルへの接続が必要なため、スモールセルからシステム情報ブロックをブロードキャスティングすることによって、以降追加接続端末がマクロセルだけではなくスモールセルへ初期接続できるように動作可能である。
【００７５】
結局、このような制御部１２の動作によれば、マクロセルＭＣに接続された端末数が少ない場合、各スモールセルＳＣ１、ＳＣ２、ＳＣ３、ＳＣ４、ＳＣ５、ＳＣ６、及びＳＣ７からはシステム情報ブロックがブロードキャスティング方式では伝送されなくなり、このように各スモールセルＳＣ１、ＳＣ２、ＳＣ３、ＳＣ４、ＳＣ５、ＳＣ６、及びＳＣ７からシステム情報ブロックを伝送しない未伝送状態が維持される間は、セル間干渉及び電力消耗を最小化することができる。
【００７６】
参照として、セル間干渉が除去される場合、各セルでのデータ処理容量及び速度を向上させることができ、これは、図４に示された５Ｇ次世代通信システムで要求される核心性能（Ｋｅｙ  Ｃａｐａｂｉｌｉｔｙ）のうち‘Ｕｓｅｒ  Ｅｘｐｅｒｉｅｎｃｅｄ  Ｄａｔａ  Ｒａｔｅ’及び‘Ｓｐｅｃｔｒａｌ  Ｅｆｆｉｃｉｅｎｃｙ’を満足可能であることを予想することができる。
【００７７】
以上説明したように、本発明の一実施例によるセル制御装置１０によれば、マクロセルＭＣ内に多数のスモールセルＳＣ１、ＳＣ２、ＳＣ３、ＳＣ４、ＳＣ５、ＳＣ６、及びＳＣ７が構築された無線環境で、各セルからブロードキャスティング（Ｂｒｏａｄｃａｓｔｉｎｇ）方式で伝送されるシステム情報ブロック（ＳＩＢ、Ｓｙｓｔｅｍ  Ｉｎｆｏｒｍａｔｉｏｎ  Ｂｌｏｃｋ）の伝送頻度を減らす又は無くす方式を通してシステム情報ブロックの伝送に因って発生するセル間干渉を取り除くことにより、各セルでのデータ処理容量及び速度を向上させる効果が達成できる。
【００７８】
以下では、図５を参照して本発明の一実施例によるセル制御装置１０での動作の流れを説明する。
【００７９】
図５は、本発明の一実施例によるセル制御装置１０の動作の流れを説明するための概略的なフローチャートである。
【００８０】
まず、確認部１１は、段階‘Ｓ１０’によってマクロセルＭＣに接続された端末の数を確認する。
【００８１】
ここで、マクロセルＭＣへの接続が確認された端末の数は、各スモールセルＳＣ１、ＳＣ２、ＳＣ３、ＳＣ４、ＳＣ５、ＳＣ６、及びＳＣ７のそれぞれからシステム情報ブロックを伝送するか否かを選択制御するのに利用されることができる。
【００８２】
このとき、確認部１１は、マクロセルＭＣに接続された端末の数が、例えば、閾値（例：４０）を超過するか否かを確認する。
【００８３】
次に、制御部１２は、マクロセルＭＣに接続された端末の数が確認されれば、確認された端末の数に基づいてマクロセルＭＣ及び各スモールセルＳＣ１、ＳＣ２、ＳＣ３、ＳＣ４、ＳＣ５、ＳＣ６、及びＳＣ７からシステム情報ブロックをブロードキャスティング方式で伝送することを制御する。
【００８４】
これと関連して、制御部１２は、段階‘Ｓ２０’及び‘Ｓ３０’によって、マクロセルＭＣに接続された端末の数が閾値（例：４０）未満であることが確認された場合には、伝送部１３がブロードキャスティング方式でマクロセルＭＣにシステム情報ブロックを伝送するように制御する。
【００８５】
このとき、制御部１２は、多数のスモールセルＳＣ１、ＳＣ２、ＳＣ３、ＳＣ４、ＳＣ５、ＳＣ６、及びＳＣ７のそれぞれに対しては、システム情報ブロックを伝送しないように制御することにより、システム情報ブロックの伝送によって発生し得るセル間干渉及び電力消耗を最小化する。
【００８６】
その反面、制御部１２は、前の段階‘Ｓ２０’を通してマクロセルＭＣに接続された端末の数が閾値（例：４０）以上であることが確認された場合には、段階‘Ｓ４０’によって伝送部１３がブロードキャスティング方式でマクロセルＭＣにシステム情報ブロックを伝送するように制御するとともに、多数のスモールセルＳＣ１、ＳＣ２、ＳＣ３、ＳＣ４、ＳＣ５、ＳＣ６、及びＳＣ７のそれぞれに対してもブロードキャスティング方式でシステム情報ブロックを伝送するように制御する。
【００８７】
さらに、制御部１２は、段階‘Ｓ５０’及び‘Ｓ６０’によって、マクロセルＭＣに接続された端末が特定スモールセルへと移動接続する必要がある場合、伝送部１３がユニキャスト方式でマクロセルＭＣを通してシステム情報ブロックを伝送するように制御することによって、該システム情報ブロックを受信した端末が上記特定スモールセルへ移動接続できるようにする。
【００８８】
このとき、制御部１２は、例えばマクロセルＭＣのダウンリンク負荷及びアップリンク負荷のうちの少なくとも一つが閾値を超過し、マクロセルＭＣに接続された端末から報告される上記特定スモールセルの基準信号受信電力（例：ＲＳＲＰ／ＲＳＲＱ）が閾値を超過する場合、上記特定スモールセルへの移動接続が必要であると判断することができる。
【００８９】
このように、ユニキャスト方式で伝送されるシステム情報ブロックは、ＲＲＣ接続再設定（Ｒａｄｉｏ  Ｒｅｓｏｕｒｃｅ  Ｃｏｎｔｒｏｌ  Ｃｏｎｎｅｃｔｉｏｎ  Ｒｅｃｏｎｆｉｇｕｒａｔｉｏｎ）メッセージを通して伝送され、かかるシステム情報ブロックには、特定スモールセル接続と係わる制御情報（接続情報）が含まれることができることは勿論である。
【００９０】
以上で説明したように、本発明の一実施例によるセル制御装置１０での動作の流れによれば、マクロセルＭＣ内に多数のスモールセルＳＣ１、ＳＣ２、ＳＣ３、ＳＣ４、ＳＣ５、ＳＣ６、及びＳＣ７が構築された無線環境で、各セルからブロードキャスティング（Ｂｒｏａｄｃａｓｔｉｎｇ）方式で伝送されるシステム情報ブロック（ＳＩＢ、Ｓｙｓｔｅｍ  Ｉｎｆｏｒｍａｔｉｏｎ  Ｂｌｏｃｋ）の伝送頻度を減らす又は無くす方式を通してシステム情報ブロックの伝送に因って発生するセル間干渉を取り除くことにより、各セルでのデータ処理容量及び速度を向上させる効果が達成できる。
【００９１】
一方、ここに提示された実施例に関連して説明された方法又はアルゴリズムの段階は、ハードウェアで直接具現されるか、多様なコンピュータ手段を通して遂行可能なプログラム命令形態で具現されてコンピュータ読取可能媒体に記録されることができる。上記コンピュータ読取可能媒体は、プログラム命令、データファイル、データ構造などを単独で又は組み合わせて含むことができる。上記媒体に記録されるプログラム命令は、本発明のために特別に設計され構成されたものであるか、コンピュータソフトウェア当業者に公知となっていて使用可能なものであり得る。コンピュータ読取可能記録媒体の例には、ハードディスク、フロッピーディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような光磁気媒体（ｍａｇｎｅｔｏ−ｏｐｔｉｃａｌ  ｍｅｄｉａ）、及びＲＯＭ、ＲＡＭ、フラッシュメモリなどのようなプログラム命令を保存して遂行するように特別に構成されたハードウェア装置が含まれる。プログラム命令の例には、コンパイラによって作られるもののような機械語コードだけでなくインタプリタなどを使ってコンピュータによって実行されることができる高級言語コードを含む。上記のハードウェア装置は、本発明の動作を遂行するために一つ以上のソフトウェアモジュールとして作動するように構成されることができ、その逆も同様である。
【００９２】
以上、本発明を望ましい実施例を参照して詳しく説明したが、本発明が上記の実施例に限定されるものではなく、以下の特許請求の範囲で請求する本発明の要旨を逸脱しない範囲で本発明の属する技術分野において通常の知識を有する者ならば誰でも多様な変形又は修正が可能な範囲まで本発明の技術的思想が及ぶと言える。
【図１】
0006574308.tif 000003
【図２】
0006574308.tif 000004
【図３】
0006574308.tif 000005
【図４】
0006574308.tif 000006
【図５】
0006574308.tif 000007